(57)【要約】      （修正有）【課題】紙類のファイリング操作が簡単で、ファイリングした紙類が多くても通しリングを安定に保持することのできる紙押さえ具を提供する。【解決手段】紙押さえ具のベース２０には、通しリングを通す通し穴２０１と、ベース２０に対して直立して通し穴２０１を取り囲む壁であり、通しリングが通し穴２０１内の一端側に移動したとき通しリングを収容して一時移動不能に保持する第１の空間２１０ａを画成する径小壁部２１１、通しリングが通し穴２０１内の他端側に移動したとき通しリングを収容して抜き差し可能とする第２の空間２１０ｂを画成する径大壁部２１２、並びに第１の空間２１０ａ及び第２の空間２１０ｂよりも小さい第３の空間２１０ｃを画成するように径小壁部２１１と径大壁部２１２との間を連結するネック壁部２１３を有する囲い壁２１と、囲い壁２１の外縁に隣接するスロット２２とが設けられている。【選択図】図２
0003162502.tif 000002
【実用新案登録請求の範囲】
【請求項１】
ファイルのファイル本体に設置された通しリング或いは綴じ棒を挿通させて前記ファイル本体に載置された紙類を押さえるための紙押さえ具であって、
前記ファイル本体に載置された紙類を押さえるためのベースを備え、
前記ベースには、
前記通しリング或いは綴じ棒を通す通し穴と、
前記ベースに対して直立して前記通し穴を取り囲む壁であり、前記通しリング或いは綴じ棒が前記通し穴内の一端側に移動したとき前記通しリング或いは綴じ棒を収容して一時移動不能に保持する第１の空間を画成する径小壁部、前記通しリング或いは綴じ棒が前記通し穴内の他端側に移動したとき前記通しリング或いは綴じ棒を収容して抜き差し可能とする第２の空間を画成する径大壁部、並びに前記第１の空間及び前記第２の空間よりも小さい第３の空間を画成するように前記径小壁部と前記径大壁部との間を連結するネック壁部を有する囲い壁と、
前記囲い壁の外縁に隣接する、相互に連通しない複数のスロットとが設けられていることを特徴とする紙押さえ具。
【請求項２】
前記ベースには、前記通し穴、前記囲い壁及び前記スロットの組が複数設けられていることを特徴とする請求項１に記載の紙押さえ具。
【請求項３】
前記囲い壁を挟んで２つの前記スロットが対称に配置されており、
前記各スロットは、前記径大壁部から前記径小壁部に至るように延伸することを特徴とする請求項１又は２に記載の紙押さえ具。
【請求項４】
前記径大壁部の前記ネック壁部に接続する部分が徐々に幅狭となる直線状に形成され、前記通しリングの移動をガイドする通路を画成することを特徴とする請求項１乃至３のいずれか１項に記載の紙押さえ具。
【請求項５】
前記通し穴は、前記囲い壁の形状に沿って形成され、
前記囲い壁は、前記ベースの底面より直立して設置されていることを特徴とする請求項１乃至４のいずれか１項に記載の紙押さえ具。
【請求項６】
前記ベースには、前記ベースを前記ファイル本体に対して移動させるように押すためのノブが設けられており、前記ベースを前記ファイル本体に対して移動させることにより、前記通しリング或いは綴じ棒を前記囲い壁により画成される第１の空間と前記第２の空間との間で移動させることを特徴とする請求項１乃至５のいずれか１項に記載の紙押さえ具。
【請求項７】
前記ノブは前記ベースの表側に突出するように設けられ、前記ノブの表面を粗くしたことを特徴とする請求項６に記載の紙押さえ具。
【考案の詳細な説明】
【技術分野】
【０００１】
本考案は、紙類を保持するためのファイルに用いられる紙押さえ具に関する。
【背景技術】
【０００２】
従来、紙類に予め開けられた通孔に、ファイル本体（台紙）に設置された通しリング或いは綴じ棒を挿通させて、紙類をファイル本体に載置するようにしたファイルが広く利用されている。この場合に、細長い板状の穴付紙押さえ具をリング或いは綴じ棒に通して紙類の上に載置し、その紙押さえ具で紙類を押さえて紙類のばたつきを防ぐようにしている。
【０００３】
図５は、従来のファイルの構造例を示す断面正面図である。図６は、図５においてファイル本体を略した紙類を綴じる前の状態を示す背面図、図７は、図５においてファイル本体を略した紙類を綴じた後の状態を示す背面図である。ファイル５５において、図示のように、紙類７に予め開けられた通孔７０、７０に、ファイル本体５０に設置された２本の通しリング５１、５１を挿通させて、紙類７をファイル本体５０に載置する。そして、細長い板状の穴付紙押さえ具６を通しリング５１、５１に通して紙類７の上に載置し、その紙押さえ具６で紙類７を押さえる構成になっている。
【０００４】
紙押さえ具６は、紙類７を押さえるための細長いベース６０を有し、ベース６０の長手方向の両側にそれぞれ紙類７の通孔７０、７０に対応して通しリング５１を通す通し穴６１、６１が形成されている。ベース６０の裏面には、２本の細長い弾力性がある金属棒６２、６２が取り付けられている。金属棒６２、６２は、図６に示すように、互いに通しリング５１の外径よりやや大きい間隔をおいて長手方向に沿って平行に配置されている。
【０００５】
ベース６０のほぼ中央には開口６３が設けられており、その開口６３の大きさは２本の金属棒６２、６２が離間する幅よりも大きくなっている。ベース６０の表面には、開口６３に対応してベース６０の長手方向に沿った両側部６４１、６４２が上方に傾斜するてこ状操作片６４が設置されている。
【０００６】
てこ状操作片６４の一端部６４１において開口６３に対応する縁に２つの舌片６４３、６４３が突設されている。てこ状操作片６４の一端部６４１を押し下げると、これら舌片６４３、６４３が開口６３を通過して金属棒６２、６２の間に差込まれながら金属棒６２、６２を湾曲状に押し広げ、湾曲した金属棒６２、６２の間に挟持係止される（図７を参照）。このようにてこ状操作片６４の一端部６４１を押し下げて２つの舌片６４３、６４３が開口６３内に差し込まれ係止されたとき、互いの金属棒６２、６２の対向する端部が互いに近づいて通しリング５１、５１と接触し、対応する通しリング５１、５１が挟持される。これにより、押さえ具６が通しリング５１、５１に対してスライド不能になるので、紙類７のばたつきを防ぐことができる。
【０００７】
一方、てこ状操作片６４の他端部６４２を押し下げると、一端部６４１を上昇させて、２つの舌片６４３、６４３を開口６３から脱離させることができる。これにより、押さえ具６が通しリング５１、５１に対してスライド可能になり、紙押さえ具６による紙類７への押圧を解除して紙類７の出し入れを行うことができる。
【考案の概要】
【考案が解決しようとする課題】
【０００８】
上記従来の紙押さえ具６を用いれば、てこ状操作片６４の両端部６４１、６４２の押圧操作だけで、紙類７の押さえやその解除を簡単に行うことができ、紙類７を出し入れするファイリング作業も簡単になる。しかしながら、通しリング５１、５１を挟持する際に金属棒６２、６２と通しリング５１、５１とが接触する面積が小さいことから、ファイリングした紙類７が多く積み重なり厚くなったとき、金属棒６２、６２と通しリング５１、５１との接触による挟持力が紙類７による圧迫力に耐えることができず、紙押さえ具６が紙類７を押さえているのにもかかわらず通しリング５１に対してスライド移動してしまう問題点がある。また、金属棒６２を反復して湾曲させたり、湾曲した状態で長く保ったりするため、金属棒６２、６２の弾力性が低下し、金属棒６２、６２による通しリング５１、５１への挟持が弱くなる問題点もある。
【０００９】
本考案は、上記問題点を解決するためになされたものであり、紙類のファイリング操作が簡単で、ファイリングした紙類が多くても通しリングを安定に保持することのできる紙押さえ具を提供することを目的とする。
【課題を解決するための手段】
【００１０】
本考案の紙押さえ具は、ファイルのファイル本体に設置された通しリング或いは綴じ棒を挿通させて前記ファイル本体に載置された紙類を押さえるための紙押さえ具であって、前記ファイル本体に載置された紙類を押さえるためのベースを備え、前記ベースには、前記通しリング或いは綴じ棒を通す通し穴と、前記ベースに対して直立して前記通し穴を取り囲む壁であり、前記通しリング或いは綴じ棒が前記通し穴内の一端側に移動したとき前記通しリング或いは綴じ棒を収容して一時移動不能に保持する第１の空間を画成する径小壁部、前記通しリング或いは綴じ棒が前記通し穴内の他端側に移動したとき前記通しリング或いは綴じ棒を収容して抜き差し可能とする第２の空間を画成する径大壁部、並びに前記第１の空間及び前記第２の空間よりも小さい第３の空間を画成するように前記径小壁部と前記径大壁部との間を連結するネック壁部を有する囲い壁と、前記囲い壁の外縁に隣接する、相互に連通しない複数のスロットとが設けられていることを特徴とする。
また、本考案の紙押さえ具の他の特徴とするところは、前記ベースには、前記通し穴、前記囲い壁及び前記スロットの組が複数設けられている点にある。
また、本考案の紙押さえ具の他の特徴とするところは、前記囲い壁を挟んで２つの前記スロットが対称に配置されており、前記各スロットは、前記径大壁部から前記径小壁部に至るように延伸する点にある。
また、本考案の紙押さえ具の他の特徴とするところは、前記径大壁部の前記ネック壁部に接続する部分が徐々に幅狭となる直線状に形成され、前記通しリングの移動をガイドする通路を画成する点にある。
また、本考案の紙押さえ具の他の特徴とするところは、前記通し穴は、前記囲い壁の形状に沿って形成され、前記囲い壁は、前記ベースの底面より直立して設置されている点にある。
また、本考案の紙押さえ具の他の特徴とするところは、前記ベースには、前記ベースを前記ファイル本体に対して移動させるように押すためのノブが設けられており、前記ベースを前記ファイル本体に対して移動させることにより、前記通しリング或いは綴じ棒を前記囲い壁により画成される第１の空間と前記第２の空間との間で移動させる点にある。
また、本考案の紙押さえ具の他の特徴とするところは、前記ノブは前記ベースの表側に突出するように設けられ、前記ノブの表面を粗くした点にある。
【００１１】
以上のようにした本考案の紙押さえ具では、ベースの通し穴に通しリングを通しながらファイル本体の表面、又は、通しリングに通された紙類に当接してから、ベースを移動させて、通しリングを囲い壁内で移動させる。通しリングが囲い壁内においてネック壁部を経て径小壁部の第１の空間に入り収容されると、通しリングが一時移動不能に保持される。一方、ベースを移動させて、第１の空間に保持された通しリングを脱離させるとき、通しリングがネック壁部を経て径大壁部の第２の空間に入り収容された後、紙押さえ具を通しリングから取り出すことができる。
【考案の効果】
【００１２】
本考案によれば、紙押さえ具の着脱操作を伴う紙類のファイリング操作及び紙押さえ具のファイルに対する定位が簡単である。また、通しリングと径小壁部との接触面積が大きいので、通しリングを安定に保持することができ、ファイリングした紙類が多くても長時間通しリングを保持することができる。また、囲い壁に隣接するスロットを設けているので、通しリングの移動により押された囲い壁、とりわけ押されたネック壁部をスロットに収めることができ、囲い壁の変形による負担が低減し、使用寿命が長くなる。
【図面の簡単な説明】
【００１３】
【図１】本考案の実施形態に係る紙押さえ具を含むファイルの主要部分を示す正面斜視図である。
【図２】本考案の実施形態に係る紙押さえ具の一部を示す背面斜視図である。
【図３】本考案の実施形態に係る紙押さえ具においてファイルの通しリングが囲い壁の径大壁部に収容された状態の一部を示す上面図である。
【図４】本考案の実施形態に係る紙押さえ具においてファイルの通しリングが囲い壁の径小壁部に保持された状態の一部を示す上面図である。
【図５】従来のリングファイルの構造例を示す断面正面図である。
【図６】図５においてファイル本体を略した紙類を綴じる前の状態を示す背面図である。
【図７】図５においてファイル本体を略した紙類を綴じた後の状態を示す背面図である。
【考案を実施するための形態】
【００１４】
以下、本考案の実施形態を図面に基づいて説明する。図１は、本考案の実施形態に係る紙押さえ具を含むファイルの主要部分を示す正面斜視図である。図２は、本考案の実施形態に係る紙押さえ具の一部を示す背面斜視図である。図３は、本考案の実施形態に係る紙押さえ具においてファイルの通しリングが囲い壁の径大壁部に収容された状態の一部を示す上面図である。図４は、本考案の実施形態に係る紙押さえ具においてファイルの通しリングが囲い壁の径小壁部に保持された状態の一部を示す上面図である。
【００１５】
ファイル１には、ファイル本体１１の内側に所定の間隔をおいて２本の通しリング４、４が立設されている。各通しリング４、４は、紙類１０を装着するための開閉可能な出入口４０を構成する一対のリング体４１、４２により構成される。通しリング４を駆動開閉する操作レバー５がファイル本体１１にヒンジ連結されており、操作レバー５をファイル本体１１に対して引き上げたり押し下げたりすることにより、通しリング４を開閉することができる。
【００１６】
通しリング４を開けたとき、紙類１０及び紙押さえ具２を装着することができる。具体的に、紙類１０には予め通しリング４、４に対応した２つの通孔１０１、１０１が開けられており、通孔１０１、１０１にリング４、４を挿通させて紙類１０をファイル本体１１に載置することができる。
【００１７】
紙押さえ具２は、ファイル本体１１に載置された紙類１０を押さえるためのものである。紙押さえ具２は、紙類１０に当接する例えば細長い板体からなるベース２０を備え、ベース２０には、通しリング４を通す通し穴２０１と、ベース２０に対して直立して通し穴２０１を取り囲む囲い壁２１とが設けられている。この例において、紙類１０の通孔１０１、通しリング４、紙押さえ具２の通し穴２０１や囲い壁２１は互いに対応してそれぞれ２つ設けられている。
【００１８】
囲い壁２１は、ベース２０に対して直立して通し穴２０１を取り囲むようにベース２０に一体形成されている。具体的に、囲い壁２１は、ベース２０の底面より直立して設置されており、通しリング４が通し穴２０１内の一端側に移動したとき通しリング４を収容して一時移動不能に保持する第１の空間２１０ａを画成する径小壁部２１１と、通しリング４が通し穴２０１内の他端側に移動したとき通しリング４を収容して抜き差し可能とする第２の空間２１０ｂを画成する径大壁部２１２と、第１の空間２１０ａ及び第２の空間２１０ｂよりも小さい第３の空間（通路）２１０ｃを画成するように径小壁部２１１と径大壁部２１２との間を連結するネック壁部２１３とを有する。
【００１９】
この例において、囲い壁２１は、通しリング４の移動方向（ベース２０の長手方向）における両端、即ち径大壁部２１２の一部と径小壁部２１１の一部が通しリング４の形状に合わせて湾曲したアーク形状になっている。また、径大壁部２１２のネック壁部２１３に接続する部分は徐々に幅狭となるように直線状に形成され、通しリング４の径大壁部２１２から径小壁部２１１への移動をガイドする通路を画成する。通しリング４への保持強度を保つよう、囲い壁２１全体が途切れることなく連続してひょうたんの形に形成されることが好ましい。
【００２０】
ベース２０には更に、囲い壁２１の外縁に隣接する複数のスロット２２が、相互に連通せずに形成されている。具体的に、１つの囲い壁２１において、囲い壁２１を挟んで２つのスロット２２、２２が対称に配置されている。各スロット２２は、径大壁部２１２から径小壁部２１１に至るように延伸しており、通しリング４の移動方向に沿って略ハの字形に延伸する。これにより、通しリング４の移動により押された囲い壁２１、とりわけ押されたネック壁部２１３をスロット２２、２２に収めることができ（ネック壁部２１３の変形をスロット２２、２２で吸収することができ）、囲い壁２１の変形による負担が大幅に低減し、使用寿命が長くなる。
【００２１】
通し穴２０１は、通しリング４を保持する役割をも担うよう、通しリング４を保持する径小部と通しリング４を収容する径大部とを有し、囲い壁２１のひょうたん形状に沿って形成される。
【００２２】
ここまで説明したように、ベース２０をファイル本体１１に対して移動させることにより、通しリング４を囲い壁２１により画成される第１の空間２１０ａと第２の空間２１０ｂとの間で移動させる。そして、本考案の実施形態に係る紙押さえ具２は更に、ベース２０の表面で、２つの通し穴２０１、２０１の間に、ベース２０をファイル本体１１に対して移動させるように押すためのノブ２３が設けられている。ノブ２３は、ベース２０の表側に突出するようにベース２０に設けられ、且つノブ２３の表面２３１を粗くし、滑り止め効果を奏するようにした。従って、安定した押圧力でベース２０を押し滑らせることができる。このようにして、ベース２０が安定してファイル本体１１或いは紙類１０に対して摺動することができる。
【００２３】
次に、上記のように構成された本実施形態に係る紙押さえ具の使用方法を図面を参照して説明する。図３に示すように、通しリング４は、ベース２０の通し穴２０１に挿通され、通し穴２０１の径大部、即ち囲い壁２１の径大壁部２１２に囲まれて収容される。
【００２４】
この状態で、ノブ２３を押してベース２０を摺動させると、通しリング４が通し穴２０１の径大部から囲い壁２１のネック壁部２１３に相当するネック部を経て径小部へ移動する。通しリング４は、ネック部を通過するときネック壁部２１３に当たり、ネック部が押し広げられるが、押されたネック壁部２１３をスロット２２、２２に収めることができるので、スムーズに通ることができる。
【００２５】
図４に示すように、通しリング４が通し穴２０１の径小部に移動すると、通し穴２０１の径小部、即ち囲い壁２１の径小壁部２１１に保持されて定位される。再びノブ２３を押してベース２０を摺動させると、通しリング４が通し穴２０１の径小部からネック部を経て径大部へ移動する。このように、通しリング４は、通し穴２０１の径大部、即ち囲い壁２１の径大壁部２１２に囲まれて収容される。
【００２６】
以上のように、本考案を適用した紙押さえ具２によれば、通しリング４を一時移動不能に保持することができる。この場合に、通しリング４と径小壁部２１１との接触面積が大きいので、通しリング４を安定して保持することができ、ファイリングした紙類１０が多くても長時間通しリング４を保持することができる。更に、通しリング４がネック部を通過するときは、ネック壁部２１３に当たり、ネック部が押し広げられるが、押されたネック壁部をスロット２２、２２に収めることができるので、スムーズに通ることができ、囲い壁２１の変形による負担が低減し、使用寿命が長くなる。
【産業上の利用可能性】
【００２７】
本考案の紙押さえ具は、通しリングや綴じ棒等を用いたファイルに利用して有用である。
【符号の説明】
【００２８】
１  ファイル
１０  紙類
１０１  通孔
１１  ファイル本体
２０  ベース
２０１  通し穴
２１  囲い壁
２０１ａ  第１の空間
２１０ｂ  第２の空間
２１０ｃ  第３の空間（通路）
２１１  径小壁部
２１２  径大壁部
２１３  ネック壁部
２２  スロット
２３  ノブ
２３１  表面
４  通しリング
４０  出入口
４１、４２  リング体
５  操作レバー
【図１】
0003162502.tif 000003
【図２】
0003162502.tif 000004
【図３】
0003162502.tif 000005
【図４】
0003162502.tif 000006
【図５】
0003162502.tif 000007
【図６】
0003162502.tif 000008
【図７】
0003162502.tif 000009